(57)【要約】【課題】  レイアウトソフトウェアにより生成されたドキュメントを、一括してポストスクリプトファイル出力するポストスクリプト書き出しシステム等を提供する。【解決手段】  コンピュータ１０１は、ＰＳ書き出しツール１１０の設定ファイル作成機能１２１により用紙設定、印刷設定、プリンタドライバ等を設定し、設定ファイル１３２に保存し、ページ番号情報付加機能１２２により、ＰＳファイル書き出し時に使用する受注番号、付加ページ番号を、レイアウトドキュメント１３０に埋め込み、ポストスクリプト（ＰＳ）書き出し機能１２３により、指定されたレイアウトドキュメント１３０又は１３０´を、指定された設定ファイル１３２に基づいて、ポストスクリプト（ＰＳ）ファイル１３１出力又は印刷出力を行う。【選択図】  図４
2006004317.tif 000002
【特許請求の範囲】
【請求項１】
端末装置からなる、レイアウトソフトウェアにより生成されたドキュメントをポストスクリプトファイルに出力するポストスクリプト書き出しシステムであって、
書き出し時の用紙設定、印刷設定、プリンタドライバの設定情報を有する設定ファイルを作成又は編集する設定ファイル作成手段と、
前記設定ファイルに基づいて、前記ドキュメントを、ページ単位又は見開き単位にポストスクリプトファイル出力、又はプリンタ出力する書き出し手段と、
を具備することを特徴とするポストスクリプト書き出しシステム。
【請求項２】
端末装置からなる、レイアウトソフトウェアにより生成されたドキュメントをポストスクリプトファイルに出力するポストスクリプト書き出しシステムであって、
前記ドキュメントの用紙設定、印刷設定等の設定情報を有する第１の設定ファイルと、プリンタ出力時に用いられるプリンタドライバ固有の設定情報を有する第２の設定ファイルと、からなる設定ファイルと、
コピー対象の第１の設定ファイルを、所定のホットフォルダにドロップし保存すると、前記端末装置のプリンタドライバに応じた前記第２の設定ファイルの一覧を表示し前記第２の設定ファイルを選択する第２の設定ファイル選択手段と、
保存した第１の設定ファイルと選択した第２の設定ファイルをコピーし、前記設定ファイルを作成する設定ファイルコピー手段と、
を具備することを特徴とするポストスクリプト書き出しシステム。
【請求項３】
前記ドキュメント内のページ番号を基に、前記書き出し手段でページを指定する際に用いる付加ページ番号を前記ドキュメントに埋め込むページ番号情報付加手段、
を更に具備することを特徴とする請求項１に記載のポストスクリプト書き出しシステム。
【請求項４】
前記ページ番号情報付加手段は、ページ番号で指定されるページに対して前記付加ページ番号を設定することを特徴とする請求項３に記載のポストスクリプト書き出しシステム。
【請求項５】
前記ページ番号情報付加手段は、ページ番号で指定されるページ範囲に対して付加ページ番号開始値で始まる連番を前記付加ページ番号に割り当て設定することを特徴とする請求項３に記載のポストスクリプト書き出しシステム。
【請求項６】
前記ページ番号情報付加手段は、現在設定されている付加ページ番号を指定されたページ数分ずらして前記付加ページ番号に設定することを特徴とする請求項３に記載のポストスクリプト書き出しシステム。
【請求項７】
前記書き出し手段は、指定されたドキュメント、又は指定されたフォルダに含まれる全てのドキュメントを書き出すことを特徴とする請求項１に記載のポストスクリプト書き出しシステム。
【請求項８】
前記書き出し手段は、前記ドキュメントの全ページ書き出し、又は部分書き出しを行うことを特徴とする請求項１に記載のポストスクリプト書き出しシステム。
【請求項９】
前記コピー対象の第１の設定ファイルは、ネットワークを介して接続された他の端末装置に記憶されるファイルであることを特徴とする請求項２に記載のポストスクリプト書き出しシステム。
【請求項１０】
コンピュータを請求項１から請求項９のいずれかに記載のポストスクリプト書き出しシステムとして機能させるプログラム。
【請求項１１】
コンピュータを請求項１から請求項９のいずれかに記載のポストスクリプト書き出しシステムとして機能させるプログラムを記録した記録媒体。
【発明の詳細な説明】
【技術分野】
【０００１】
本発明は、レイアウトソフトウェアにより生成されたドキュメントをポストスクリプトファイルに出力するポストスクリプト書き出しシステムに関する。
【背景技術】
【０００２】
近年、広告、カタログ等の出版物制作を行う際、コンピュータの普及に伴い、出版物のデザイン、レイアウト等をパーソナルコンピュータで行うデスクトップパブリッシング（ＤＴＰ）等で出版物制作作業を行い、その効率化が図られてきている。例えば、広告、パンフレット、商品カタログ、新聞、書籍等の出版物の作成にあたり、文字処理、レイアウト、イラスト処理、画像ハンドリング等の出版ツールでドキュメントを作成するレイアウトソフトウェア（例えば、Ｑｕａｒｋ社のＱｕａｒｋＸＰｒｅｓｓ（商標名））が存在する。
作成したドキュメントから、印刷物を出力するにあたって、特に高解像度を要求する印刷処理で一般に利用される代表的なページ記述言語で記述されたページ記述言語ファイル（例えば、Ａｄｏｂｅ社のポストスクリプト（ＰＳ）で記述されたポストスクリプト（ＰＳ）ファイル）に書き出し、ポストスクリプト（ＰＳ）ファイルを、ラスタイメージプロセッサ（ＲＩＰ）等により、文字や図形等の符号情報と、写真等の画像走査線情報を同時処理するために、それぞれの情報をビットマップに展開し、画像化した情報を印刷装置に供給する。（例えば、特許文献１）
【０００３】
【特許文献１】特開２００１−１１７９８０号公報
【発明の開示】
【発明が解決しようとする課題】
【０００４】
従来のシステムにおいては、レイアウトソフトウェア（例えば、ＱｕａｒｋＸＰｒｅｓｓ（商標名））のドキュメントをポストスクリプト（ＰＳ）ファイルに出力する場合、印刷出力時の印刷設定、用紙設定等をページ毎に行わなければならず、操作作業に時間と手間がかかり、手作業ミスが発生し、効率的ではなかった。
【０００５】
本発明は、以上の点に鑑みてなされたものであり、レイアウトソフトウェアにより生成されたドキュメントを、一括してポストスクリプトファイル出力するポストスクリプト書き出しシステム等を提供することを目的とする。
【課題を解決するための手段】
【０００６】
前述した目的を達成するために第１の発明は、端末装置からなる、レイアウトソフトウェアにより生成されたドキュメントをポストスクリプトファイルに出力するポストスクリプト書き出しシステムであって、書き出し時の用紙設定、印刷設定、プリンタドライバの設定情報を有する設定ファイルを作成又は編集する設定ファイル作成手段と、前記設定ファイルに基づいて、前記ドキュメントを、ページ単位又は見開き単位にポストスクリプトファイル出力、又はプリンタ出力する書き出し手段と、を具備することを特徴とするポストスクリプト書き出しシステムである。
【０００７】
また、前記ドキュメント内のページ番号を基に、前記書き出し手段でページを指定する際に用いる付加ページ番号を前記ドキュメントに埋め込むページ番号情報付加手段、を更に具備することが望ましい。
【０００８】
第１の発明では、書き出し時の用紙設定、印刷設定、プリンタドライバの設定情報を有する設定ファイルを作成又は編集し、ドキュメントを、設定ファイルに基づいて、ページ単位又は見開き単位にポストスクリプトファイル出力、又はプリンタ出力する。
【０００９】
第２の発明は、端末装置からなる、レイアウトソフトウェアにより生成されたドキュメントをポストスクリプトファイルに出力するポストスクリプト書き出しシステムであって、前記ドキュメントの用紙設定、印刷設定等の設定情報を有する第１の設定ファイルと、プリンタ出力時に用いられるプリンタドライバ固有の設定情報を有する第２の設定ファイルと、からなる設定ファイルと、コピー対象の第１の設定ファイルを、所定のホットフォルダにドロップし保存すると、前記端末装置のプリンタドライバに応じた前記第２の設定ファイルの一覧を表示し前記第２の設定ファイルを選択する第２の設定ファイル選択手段と、保存した第１の設定ファイルと選択した第２の設定ファイルをコピーし、新規の設定ファイルを作成する設定ファイルコピー手段と、を具備することを特徴とするポストスクリプト書き出しシステムである。
第２の発明では、ドキュメントの用紙設定、印刷設定等の設定情報を有する第１の設定ファイルと、プリンタ出力時に用いられるプリンタドライバ固有の設定情報を有する第２の設定ファイルと、からなる設定ファイルを有し、コピー対象の第１の設定ファイルを、所定のホットフォルダにドロップし保存すると、端末装置のプリンタドライバに応じた第２の設定ファイルの一覧を表示し第２の設定ファイルを選択し、保存した第１の設定ファイルと選択した第２の設定ファイルをコピーし、新規の設定ファイルを作成する。
【００１０】
「ポストスクリプト（ＰＳ）ファイル」は、高解像度を要求する印刷処理で一般に利用される代表的なページ記述言語で記述されたページ記述言語ファイルである。
「レイアウトソフトウェア」は、出版物の作成にあたり、文字処理、レイアウト、イラスト処理、画像ハンドリング等の出版ツールでドキュメントを作成する。
「設定ファイル」は、書き出し時のプリンタドライバ、用紙設定、印刷設定等の設定情報を有する。設定ファイルは、ドキュメントの用紙設定、印刷設定等の設定情報を有する第１の設定ファイルであるドキュメント設定ファイルと、プリンタ出力時に用いられるプリンタドライバ固有の設定情報を有する第２の設定ファイルである印刷設定ファイルからなる。
「付加ページ番号」は、ポストスクリプトファイル書き出し時のページ範囲を指定する際に使用するページ番号であり、ドキュメントにページ番号に付加して埋め込むページ番号情報である。複数のドキュメントから構成される１つの印刷物を作成する場合に、書き出し時に有効なページ番号情報である。
「ホットフォルダ」は、ネットワーク上で当該フォルダを監視し、「ホットフォルダ」内に設定ファイルが作成されると、設定ファイルコピー処理を行う。
【００１１】
第３の発明は、コンピュータを第１の発明、又は第２の発明のポストスクリプト書き出しシステムとして機能させるプログラムである。
第４の発明は、コンピュータを第１の発明、又は第２の発明のポストスクリプト書き出しシステムとして機能させるプログラムを記録した記録媒体である。
【００１２】
上述のプログラムをＣＤ−ＲＯＭ等の記録媒体に保持させて流通させてもよいし、このプログラムを通信回線を介して送受することもできる。
【発明の効果】
【００１３】
本発明は、レイアウトソフトウェアにより生成されたドキュメントを、一括してポストスクリプトファイル出力するポストスクリプト書き出しシステム等を提供することができる。
【発明を実施するための最良の形態】
【００１４】
以下に、添付図面を参照しながら、本発明に係るポストスクリプト（ＰＳ）書き出しシステム等の好適な実施形態について詳細に説明する。なお、以下の説明および添付図面において、略同一の機能構成を有する構成要素については、同一の符号を付することにより重複説明を省略することにする。
【００１５】
図１は、本発明の本実施の形態に係るポストスクリプト（ＰＳ）書き出しシステム１００の概略構成を示す図である。
【００１６】
図１に示すように、ポストスクリプト（ＰＳ）書き出しシステム１００は、コンピュータ１０１からなり、コンピュータ１０１は、ポストスクリプト（ＰＳ）書き出しツール１１０、レイアウトソフトウェア１１１、レイアウトドキュメント１３０、ポストスクリプト（ＰＳ）ファイル１３１、設定ファイル１３２、ログファイル１３３等から構成される。尚、コンピュータ１０１は、端末装置であるパーソナルコンピュータ、携帯情報端末（Ｐｅｒｓｏｎａｌ  Ｄｉｇｉｔａｌ  Ａｓｓｉｓｔａｎｔ）等である。
【００１７】
ポストスクリプト（ＰＳ）書き出しツール１１０は、実行可能プログラムであり、レイアウトソフトウェア１１１により生成したレイアウトドキュメント１３０を読み込み、作成した設定ファイル１３２に基づき、ポストスクリプト（ＰＳ）ファイル１３１出力、又は印刷出力を行う。
【００１８】
レイアウトソフトウェア１１１は、商品カタログ、書籍等の出版物の作成にあたり、文字処理、レイアウト、イラスト処理、画像ハンドリング等の出版ツールでレイアウトドキュメント１３０を作成するレイアウトソフトウェアの実行可能プログラムであり、本実施の形態では、例えば、Ｑｕａｒｋ社のＱｕａｒｋＸＰｒｅｓｓ（商標名）を用いる。
例えば、本実施の形態では、ポストスクリプト（ＰＳ）書き出しツール１１０は、ＱｕａｒｋＸＰｒｅｓｓ（商標名）の拡張機能として組み込まれ、ＱｕａｒｋＸＰｒｅｓｓ（商標名）を起動することにより、ポストスクリプト（ＰＳ）書き出しツール１１０へ処理遷移されるが、本実施の形態に限るものではない。
【００１９】
レイアウトドキュメント１３０は、レイアウトソフトウェア１１１により生成したレイアウト済みのドキュメントであり、例えば、ＱｕａｒｋＸＰｒｅｓｓ（商標名）が生成するＱｕａｒｋドキュメントである。本実施の形態では、Ｑｕａｒｋドキュメントを用いる。
【００２０】
ポストスクリプト（ＰＳ）ファイル１３１は、高解像度を要求する印刷処理で一般に利用される代表的なページ記述言語ポストスクリプト（ＰＳ）で記述されたページ記述言語ファイルである。
設定ファイル１３２は、ポストスクリプト（ＰＳ）ファイル１３１書き出し時のプリンタドライバ、用紙設定、印刷設定等の設定情報を有する。
ログファイル１３３には、ポストスクリプト（ＰＳ）書き出しツール１１０の処理結果を記録する。
【００２１】
次に、コンピュータ１０１のハードウェア構成を説明する。図２は、コンピュータ１０１のハードウェア構成図である。
【００２２】
図２に示すように、コンピュータ１０１は、制御部２０１、記憶装置２０２（ハードディスク）、メディア入出力部２０３（ＣＤ−ＲＯＭ）、通信制御部２０４（通信制御装置、通信ポート等）、入力部２０５（キーボード、マウス等）、印刷部２０６（プリンタ）、表示部２０７（ディスプレイ）等が、バス２０９を介して接続される。
【００２３】
制御部２０１は、ＣＰＵ、ＲＯＭ、ＲＡＭ等で構成され、大容量記憶媒体としての記憶装置２０２に格納されたプログラムに従って、バス２０９を介して接続された各装置を駆動制御する。
【００２４】
記憶装置２０２には、各構成部分を駆動制御する制御プログラム３１０、アプリケーションプログラム３１１、及びレイアウトドキュメント１３０、ポストスクリプト（ＰＳ）ファイル１３１、設定ファイル１３２、ログファイル１３３等が格納されている。
【００２５】
これらの各プログラムコードは、制御部２０１により必要に応じて読み出されてＲＡＭに移され、ＣＰＵに読み出されて各種の手段として実行される。
【００２６】
メディア入出力部２０３（ＣＤ−ＲＯＭドライブ装置）は、制御部２０１のＲＯＭや記憶装置２０２に記憶されているプログラムや情報をバージョンアップ、機器設定等の設定を行う際に用いられる。
【００２７】
通信制御部２０４は、通信制御装置、通信ポート等であり、ネットワーク１０９を介して、コンピュータ１０１間の通信制御を行う。
【００２８】
入力部２０５は、キーボード、マウス等であり、表示部２０７（ディスプレイ）に表示された操作案内、各種処理、操作を行う。
印刷部２０６は、プリンタであり、印刷出力処理を行う。
【００２９】
次に、記憶装置２０２におけるポストスクリプト（ＰＳ）書き出しシステム関連のファイル配置について説明する。図３は、記憶装置２０２におけるポストスクリプト（ＰＳ）書き出しシステム関連のファイル配置を示す。図３に示すように、記憶装置２０２内には、レイアウトドキュメント１３０、ポストスクリプト（ＰＳ）ファイル１３１、設定ファイル１３２、ログファイル１３３、及び制御プログラム３１０、アプリケーションプログラム３１１等が格納されている。
【００３０】
レイアウトドキュメント１３０は、例えば、ＱＸＰフォルダ１４０に格納され、レイアウトソフトウェア１１１により生成されたレイアウト済みのドキュメントであり、例えば、Ｑｕａｒｋドキュメントである。
【００３１】
ポストスクリプト（ＰＳ）ファイル１３１は、例えば、保存フォルダ１４１に格納され、高解像度を要求する印刷処理で一般に利用される代表的なページ記述言語ポストスクリプト（ＰＳ）で記述されたページ記述言語ファイルである。出力したポストスクリプト（ＰＳ）ファイルは、例えば、ラスタイメージプロセッサ（ＲＩＰ）を用いて、文字や図形等の符号情報と、写真等の画像走査線情報を同時処理するために、それぞれの情報をビットマップに展開し、画像化した情報を印刷装置に供給し、印刷する。
【００３２】
設定ファイル１３２は、例えば、ＰＳ書き出しフォルダ１４２下の設定フォルダ１４３に格納され、ポストスクリプト（ＰＳ）ファイル１３１書き出し時のプリンタドライバ、用紙設定、印刷設定等の設定情報を有する。設定ファイル１３２は、レイアウトドキュメント１３０の用紙設定、印刷設定等の設定情報を有するドキュメント設定ファイル１３２Ｑと、印刷出力時に用いられるプリンタドライバ固有の設定情報を有する印刷設定ファイル１３２Ｐからなる。
【００３３】
ログファイル１３３には、例えば、ＰＳ書き出しフォルダ１４２下のログフォルダ１４４に格納され、ポストスクリプト（ＰＳ）書き出しツール１１０の書き出し処理結果情報（正常終了／エラー終了のステータス、ＰＳファイル名、レイアウトドキュメント名、設定ファイル名、終了時間、エラー内容等）を記録する。
【００３４】
制御プログラム３１０は、コンピュータ１０１の各構成部分を駆動制御するプログラムである。
アプリケーションプログラム３１１は、実行可能プログラムであり、ポストスクリプト（ＰＳ）書き出しツール１１０、レイアウトソフトウェア（例えば、ＱｕａｒｋＸＰｒｅｓｓ（商標名））１１１等に該当するプログラムである。
【００３５】
次に、ポストスクリプト（ＰＳ）書き出しシステム１００全体の処理の流れを説明する。図４は、ポストスクリプト（ＰＳ）書き出しシステム１００全体の処理の流れ４００を示す。
【００３６】
ポストスクリプト（ＰＳ）書き出しツール１１０は、設定ファイル作成機能１２１、ページ番号情報付加機能１２２、ポストスクリプト（ＰＳ）書き出し機能１２３等からなる。
【００３７】
設定ファイル作成機能１２１は、用紙設定、印刷設定、プリンタドライバ等を設定し、設定ファイル１３２に保存する。
ページ番号情報付加機能１２２は、ＰＳファイル書き出し時に使用するページ指定ドキュメント情報として受注番号９１、ＰＳファイル書き出し時のページ範囲を指定する際に使用する付加ページ番号９３をレイアウトドキュメント１３０に埋め込み、レイアウトドキュメント（ページ番号情報付加）１３０´を作成する。付加ページ番号は、例えば、複数のレイアウトドキュメント１３０から構成される印刷物を作成する際に、複数のドキュメントを関連付けるページ番号情報として指定可能となる。
ポストスクリプト（ＰＳ）書き出し機能１２３は、指定されたレイアウトドキュメント１３０又はレイアウトドキュメント（ページ番号情報付加）１３０´を、指定された設定ファイル１３２に基づいて、ポストスクリプト（ＰＳ）ファイル１３１書き出し又は印刷出力を行う。
【００３８】
次に、図５を参照しながら、設定ファイル作成機能１２１の処理手順を詳しく説明する。図５は、設定ファイル作成機能１２１の処理手順を示すフローチャートである。
【００３９】
コンピュータ１０１の制御部２０１はＰＳ書き出しメニュ画面１０を表示し、利用者は、「設定ファイル作成」１１メニュを選択する（ステップ５０１）。
【００４０】
例えば、ＱｕａｒｋＸＰｒｅｓｓ（商標名）１１１の拡張機能としてＰＳ書き出しツール１１０を組み込まれている状態で、ＱｕａｒｋＸＰｒｅｓｓ（商標名）１１１を起動し、「ＰＳ自動書き出し」を選択することにより、ＰＳ書き出しツール１１０を起動し、ＰＳ書き出しメニュ画面１０を表示する。尚、ＰＳ書き出しツール１１０の起動方法は、本実施の形態に示す方法に限らない。
【００４１】
制御部２０１は、「設定ファイル作成」１１メニュを選択すると、設定ファイルリスト画面２０を表示する（ステップ５０２）。図６は、設定ファイルリスト画面２０を示す。
【００４２】
図６に示すように、設定ファイルリスト画面２０は、設定ファイルリスト２５、新規作成ボタン２１、編集ボタン２２、複製ボタン２３、削除ボタン２４等からなる。設定ファイルリスト２５には、ＰＳ書き出しフォルダ１４２下の設定フォルダ１４３内の設定ファイル１３２（ロックされていない設定ファイル１３２、ロックされている設定ファイル１３２Ｌ）が一覧表示される。ロックされていない設定ファイル１３２は、編集ボタン２２、複製ボタン２３、削除ボタン２４等が使用可能となる。ロックされている設定ファイル１３２Ｌには、鍵マークが表示され、編集ボタン２２、複製ボタン２３が使用可能となるが、削除ボタン２４は使用不可となる。
【００４３】
新規作成ボタン２１を押下すると、制御部２０１は、設定ファイル作成画面（新規作成）３０ａを表示する。編集ボタン２２を押下すると、制御部２０１は、設定ファイル作成画面（編集・複製）３０ｂを表示する。複製ボタン２３を押下すると、制御部２０１は、選択した複製したい設定ファイル１３２の内容が表示された設定ファイル作成画面（編集・複製）３０ｂを表示する。削除ボタン２４を押下すると、制御部２０１は、選択した設定ファイル１３２を削除する。ロックされている設定ファイル１３２Ｌは、削除できない。設定ファイル１３２作成時に同時に作成された印刷設定ファイルも削除される。
【００４４】
制御部２０１は、新規作成ボタン２１、又は設定ファイル１３２を選択し編集ボタン２２／複製ボタン２３を押下すると、それぞれ設定ファイル作成画面（新規作成）３０ａ、設定ファイル作成画面（編集・複製）３０ｂを表示する（ステップ５０３）。図７は、設定ファイル作成画面（新規作成）３０ａ、設定ファイル作成画面（編集・複製）３０ｂを示す。
【００４５】
図７に示すように、設定ファイル作成画面（新規作成）３０ａは、設定ファイル名３１、プリンタドライバ選択ボタン３２、出力先３３、「見開き」ラジオボタン３４、「単ページ」ラジオボタン３５、「ファイルロック」チェックボックス３６、用紙設定ボタン３７、印刷設定ボタン３８、保存ボタン３９、キャンセルボタン４０等からなる。
設定ファイル作成画面（編集・複製）３０ｂは、設定ファイル名３１、プリンタドライバ４１、ポストスクリプトプリンタ４２、出力先３３、「見開き」ラジオボタン３４、「単ページ」ラジオボタン３５、「ファイルロック」チェックボックス３６、用紙設定ボタン３７、印刷設定ボタン３８、保存ボタン３９、キャンセルボタン４０等からなる。
【００４６】
設定ファイル名３１には、設定ファイル名を設定する。複製時の設定ファイル名３１は、例えば、「設定ファイル１」を複製した場合、「設定ファイル１のコピー」となる。
出力先３３には、プリント出力／ポストスクリプト（ＰＳ）ファイル出力を設定する。
「見開き」ラジオボタン３４、「単ページ」ラジオボタン３５は、ＰＳ書き出し単位の「見開き」／「単ページ」を設定する。
「ファイルロック」チェックボックス３６は、設定ファイル１３２のファイルロックの有無を設定する。ロックした設定ファイル１３２Ｌは、削除不可となる。
制御部２０１は、指定された設定ファイル名３１、ＰＳ書き出し単位（「見開き」／「単ページ」）、ファイルロックの有無等を設定する（ステップ５０４）。
【００４７】
制御部２０１は、新規作成時、プリンタドライバ選択ボタン３２を押下すると、プリンタドライバ選択画面５０を表示する（ステップ５０５）。図８は、プリンタドライバ選択画面５０を示す。
プリンタドライバ選択画面５０は、プリンタドライバ４１の一覧を示すプリンタドライバリスト５１、ポストスクリプトプリンタ４２の一覧を示すポストスクリプトプリンタリスト５２、プリンタ所在地の一覧を示すゾーン名リスト５３、ＯＫボタン５５、キャンセルボタン５６等からなる。
【００４８】
利用者がプリンタドライバ４１、ポストスクリプトプリンタ４２等を選択し、ＯＫボタン５５を押下すると（ステップ５０６）、制御部２０１は、選択したプリンタドライバ４１、ポストスクリプトプリンタ４２等の設定を保存し、プリンタドライバ選択画面５０を閉じ（ステップ５０７）、ステップ５０３に移行し、設定ファイル作成画面３０の表示を行う。
【００４９】
制御部２０１は、用紙設定ボタン３７を押下すると、用紙設定画面（図示せず）を表示する（ステップ５０８）。利用者が用紙設定を行い、制御部２０１は、指定された用紙設定を保存し、プリンタドライバ選択画面５０を閉じ（ステップ５０９）、ステップ５０３に移行し、設定ファイル作成画面３０の表示を行う。
【００５０】
制御部２０１は、印刷設定ボタン３８を押下すると、印刷設定画面（図示せず）を表示する（ステップ５１０）。利用者が印刷設定を行い、制御部２０１は、指定された印刷設定を保存し、プリンタドライバ選択画面５０を閉じ（ステップ５１１）、ステップ５０３に移行し、設定ファイル作成画面３０の表示を行う。
【００５１】
制御部２０１は、保存ボタン３９を押下すると、全ての項目の設定情報を設定ファイル１３２に保存し、設定ファイル作成画面２０を閉じる（ステップ５１２）。キャンセルボタン４０を押下すると、全ての項目の設定を保存せずに、設定ファイル作成画面２０を閉じる。
【００５２】
次に、図９を参照しながら、ポストスクリプト（ＰＳ）書き出し機能１２３の処理手順を詳しく説明する。図９は、ポストスクリプト（ＰＳ）書き出し機能１２３の処理手順を示すフローチャートである。
【００５３】
コンピュータ１０１の制御部２０１はＰＳ書き出しメニュ画面１０を表示し、利用者は、「書き出し」１２メニュを選択する（ステップ９０１）。
【００５４】
制御部２０１は、「書き出し」１２メニュを選択すると、書き出しツール画面６０を表示する（ステップ９０２）。図１０は、書き出しツール画面６０を示す。
【００５５】
図１０に示すように、書き出しツール画面６０は、レイアウトドキュメントリスト６１、設定ファイルリスト６２、保存フォルダリスト６３、書き出しページ指定６４、新規フォルダ作成ボタン７２、書き出しボタン６８、キャンセルボタン６９等からなる。
【００５６】
レイアウトドキュメントリスト６１は選択したフォルダ内のレイアウトドキュメント１３０とフォルダの一覧である。設定ファイルリスト６２は、設定フォルダ１４３内の設定ファイル１３２の一覧である。保存フォルダリスト６３は、選択したフォルダ内の保存フォルダ１４１の一覧である。新規フォルダ作成ボタン７２を押下すると、制御部２０１は、指定された新規フォルダ名７１で新規フォルダ作成画面７０を表示し、保存フォルダの新規フォルダを作成する。
【００５７】
書き出しページ指定６４は、部分的書き出しチェックボックス６５にチェックをオンすると、書き出しページ指定を可能とする。「ページ番号」ラジオボタン６６は、書き出しページをページ番号で指定する。「付加ページ番号」ラジオボタン６７は、書き出しページを付加ページ番号で指定する。
付加ページ番号は、例えば、複数のレイアウトドキュメント１３０から構成される印刷物を作成する際に、複数のドキュメントを関連付けるページ番号情報として指定可能となる。例えば、レイアウトドキュメント１３０−１のページ５〜１０とレイアウトドキュメント１３０−２のページ２０〜３０を１つの印刷物として作成する場合、後述するページ情報付加機能１２２で、レイアウトドキュメント１３０−１のページ５〜１０に付加ページ番号１〜６を設定し、レイアウトドキュメント１３０−２のページ２０〜３０に付加ページ番号７〜１７を設定しておき、ＰＳ書き出し機能１２３で書き出しページを付加ページ番号で該等ページ番号を指定して書き出すと、レイアウトドキュメント１３０−１、１３０−２の書き出し対象ページ内容を、複数ドキュメント連番の新たなページ番号情報と共に、ポストスクリプトファイル１３１出力又はプリンタ出力される。
【００５８】
利用者は、レイアウトドキュメント１３０又はレイアウトドキュメント１３０を含むフォルダ、設定ファイル１３２、保存フォルダ１４１、書き出しページ指定６４等を設定し、書き出しボタン６８を押下する（ステップ９０３）。
【００５９】
制御部２０１は、指定された条件で、レイアウトドキュメント１３０を、設定ファイル１３２に基づいて、単ページ単位／見開き単位で、出力先である指定された保存フォルダ１４１のポストスクリプト（ＰＳ）ファイル１３１、又はプリンタ２０６に出力する（ステップ９０４）。
【００６０】
ポストスクリプト（ＰＳ）ファイル１３１のファイル名は、受注番号９１（指定されていない場合は省略）と、付加ページ番号９３等より単ページ単位／見開き単位に応じて設定される。尚、受注番号９１の指定については、後述ページ番号情報付加機能１２２で説明する。
（１）付加ページ番号９３が数字の場合、
単ページ単位時：
＜受注番号＞Ｐ＜付加ページ番号（４ｂｙｔｅ揃え）＞．ｐｓ
例えば、「受注１Ｐ０００１．ｐｓ」
見開き単位時：
＜受注番号＞Ｐ＜付加ページ番号（４ｂｙｔｅ揃え）＞＠Ｐ＜付加ページ番号（４ｂｙｔｅ揃え）＞．ｐｓ
例えば、「受注２Ｐ０００１＠Ｐ０００２．ｐｓ」
（２）付加ページ番号９３が数字以外を含む場合、
単ページ単位時：
＜受注番号＞＜付加ページ番号（４ｂｙｔｅ揃え）＞．ｐｓ
例えば、「受注１Ｈ１．ｐｓ」
見開き単位時：
＜受注番号＞＜付加ページ番号（４ｂｙｔｅ揃え）＞＠＜付加ページ番号（４ｂｙｔｅ揃え）＞．ｐｓ
例えば、「受注２Ｈ１＠Ｈ２．ｐｓ」
（３）付加ページ番号９３が設定されていない（ページ番号設定）場合、
単ページ単位時：
＜受注番号＞Ｐ＜レイアウトドキュメントページ番号（４ｂｙｔｅ揃え）＞．ｐｓ
例えば、「受注１Ｐ０００１．ｐｓ」
見開き単位時：
＜受注番号＞Ｐ＜レイアウトドキュメントページ番号（４ｂｙｔｅ揃え）＞＠Ｐ＜付加ページ番号（４ｂｙｔｅ揃え）＞．ｐｓ
例えば、「受注２Ｐ０００１＠Ｐ０００２．ｐｓ」
【００６１】
書き出し後、制御部２０１は、ＰＳファイル書き出し時には、ログ情報を格納する（ステップ９０５）。
指定された全ページ終了するまで（ステップ９０６のＮｏ）、ステップ９０４からステップ９０６の書き出し処理を繰り返す。
【００６２】
指定された全ページ終了すると（ステップ９０６のＹｅｓ）、制御部２０１は、ＰＳファイル書き出し時には、ログ情報からログファイル１３３（．ｔｘｔファイル）を生成する（ステップ９０７）。制御部２０１は、１回の処理で１つのログファイル１３３を出力する。ログファイル名は、正常終了時「処理日時．ｔｘｔ」とし、エラー発生時「処理日時Ｅ．ｔｘｔ」とし、エラー発生をファイル名で把握可能とする。図１１は、ログファイル１３３の内容を示す。
【００６３】
図１１に示すように、ログファイル１３３は、ヘッダレコード８７と、１つのＰＳファイルの処理結果を１レコードとしたログレコード８８群から構成される。
ヘッダレコード８７は、「ＥＲＲＯＲ  ＰＳファイル名  ＱＸＰファイル名（レイアウトドキュメントファイル名）、設定ファイル名、時間、エラー内容」等のヘッダを表す。
ログレコード８８は、正常終了／エラー終了を示すエラーフラグ８１、ＰＳファイル名８２、レイアウトドキュメントファイル名８３、設定ファイル名８４、作成終了時刻／エラー発生時刻を表す時間８５、エラー内容８６等のログ情報等を有する。
【００６４】
次に、レイアウトドキュメント１３０からポストスクリプト（ＰＳ）ファイル１３１書き出しの具体例を説明する。図１２は、レイアウトドキュメント１３０からポストスクリプト（ＰＳ）ファイル１３１書き出しの具体例を示す。
【００６５】
図１２に示すように、例えば、書き出しページ指定６４で「部分的書き出し」、ページ番号９２「３ページから８ページ」、ページ番号情報付加機能１２２で受注番号９１「２２５８９」と指定し、書き出しを行うと、
（１）単ページの場合：レイアウトドキュメント１３０の３ページの内容→ＰＳファイル名「２２５８９Ｐ０００３．ｐｓ」のＰＳファイル１３１に、レイアウトドキュメント１３０の４ページの内容→ＰＳファイル名「２２５８９Ｐ０００４．ｐｓ」のＰＳファイル１３１に、…、レイアウトドキュメント１３０の８ページの内容→ＰＳファイル名「２２５８９Ｐ０００８．ｐｓ」のＰＳファイル１３１等と、レイアウトドキュメント１３０の３から８ページの内容をページ単位で６つのＰＳファイル１３１に書き出す。
（２）見開きページの場合：レイアウトドキュメント１３０の３ページの内容→ＰＳファイル名「２２５８９Ｐ０００３．ｐｓ」のＰＳファイル１３１に、レイアウトドキュメント１３０の４ページ、５ページの内容→ＰＳファイル名「２２５８９Ｐ０００４＠Ｐ０００５．ｐｓ」のＰＳファイル１３１に、…、レイアウトドキュメント１３０の８ページの内容→ＰＳファイル名「２２５８９Ｐ０００８．ｐｓ」のＰＳファイル１３１等と、レイアウトドキュメント１３０の３から８ページの内容を見開きページ単位で４つのＰＳファイル１３１に書き出す。
【００６６】
次に、図１３を参照しながら、ページ番号情報付加機能１２２の処理手順を詳しく説明する。図１３は、ページ番号情報付加機能１２２の処理手順を示すフローチャートである。
【００６７】
コンピュータ１０１の制御部２０１はＰＳ書き出しメニュ画面１０を表示し、利用者は、「ページ番号情報パレット表示」１３メニュを選択する（ステップ１３０１）。
【００６８】
制御部２０１は、「ページ番号情報パレット表示」１３メニュを選択すると、ページ番号情報パレット表示画面９０を表示する（ステップ１３０２）。図１４は、ページ番号情報パレット表示画面９０を示す。
【００６９】
図１４に示すように、ページ番号情報パレット表示画面９０は、受注番号９１の入力フィールド、設定タブ９４、連番設定タブ９５、スライドタブ９６等からなる。
受注番号９１は、ＰＳファイル１３１書き出し時にＰＳファイル名に使われる文字列である。利用者は、受注番号９１の入力フィールドに入力後、設定タブ９４、連番設定タブ９５、スライドタブ９６等で付加ページ番号９３を設定する（ステップ１３０３）。
【００７０】
設定タブ９４では、付加ページ番号９３を１ページずつ設定する。設定タブ９４は、ページ番号９２の入力フィールド、付加ページ番号９３の入力フィールド、保存ボタン９７、キャンセルボタン９８、削除ボタン９９等からなる。制御部２０１は、ページ番号９２に指定したページに対して、付加ページ番号９３に指定した数字を埋め込む。保存ボタン９７により、制御部２０１は、付加ページ番号９３の設定を保存する。キャンセルボタン９８により、制御部２０１は、１回前の設定をキャンセルする。削除ボタン９９により、制御部２０１は、ページ番号で示されるページの付加ページ番号９３を削除する。
【００７１】
図１５は、連番設定タブ９５による、付加ページ番号の連番設定を示す。図１５に示すように、連番設定タブ９５は、ページ番号９２の入力フィールド、付加ページ番号開始値７３の入力フィールド、実行ボタン７４、キャンセルボタン９８等からなる。実行ボタン７４により、制御部２０１は、ページ番号９２で指定した範囲のページに対して、付加ページ番号開始値７３で始まる連番を付加ページ番号９３に割り当てる。例えば、レイアウトドキュメント１３０のページ番号９２で指定した範囲のページ「４〜８ページ」に対して、付加ページ番号開始値７３「１２３」で始まる連番「１２３、１２４、…１２７」を付加ページ番号９３として割り当てる。
【００７２】
図１６は、スライドタブ９６による、付加ページ番号９３のスライド設定を示す。図１６に示すように、スライドタブ９６は、「全体にスライド」ラジオボタン７６、「部分的にスライド」ラジオボタン７７、「ページ番号」ラジオボタン６６、「付加ページ番号」ラジオボタン６７、ページ番号／付加ページ番号の入力フィールド、スライドページ数７８の入力フィールド、実行ボタン７４、キャンセルボタン９８等からなる。
【００７３】
「全体にスライド」ラジオボタン７６により、レイアウトドキュメント１３０の全ページをスライドし、「部分的にスライド」ラジオボタン７７により、ドキュメント内のページ番号／付加ページ番号で示された範囲のページをスライドする。「ページ番号」ラジオボタン６６、又は「付加ページ番号」ラジオボタン６７により、入力フィールドに入力するページ番号／付加ページ番号を選択する。実行ボタン７４により、制御部２０１は、現在、レイアウトドキュメント１３０に設定されている付加ページ番号９３を指定されたページ数分ずらす。例えば、スライド前のレイアウトドキュメント１３０´のページ番号９２で指定した範囲のページ「４〜６ページ」の付加ページ番号「１２３、１２４、１２５」をスライドページ数「１００」ずらし、付加ページ番号「２２３、２２４、２２５」を割り当てる。
【００７４】
制御部２０１は、レイアウトドキュメント１３０に対して、ドキュメント情報として入力した受注番号９１を、ページ番号情報として、設定タブ９４、連番設定タブ９５、スライドタブ９６等で設定した付加ページ番号９３を埋め込み、保存する（ステップ１３０４）。
【００７５】
以上説明したように、本発明の実施の形態によれば、ポストスクリプト書き出しシステム１００において、コンピュータ１０１の制御部２０１は、設定ファイル作成機能１２１により、書き出し時のプリンタドライバ設定、用紙設定、印刷設定等の設定情報を有する設定ファイル１３２を作成又は編集し、ページ番号情報付加機能１２２により、レイアウトソフトウェア１１１により生成されたレイアウトドキュメント１３０内のページ番号を基に、付加ページ番号をページ毎にレイアウトドキュメント１３０に埋め込み、書き出し機能１２３により、レイアウトドキュメント１３０を、設定ファイル１３２に基づいて、ページ単位にポストスクリプト（ＰＳ）ファイル１３１に書き出し、又はプリンタに出力する。
【００７６】
これにより、レイアウトソフトウェアのドキュメントを、設定ファイルに基づいて、一括でポストスクリプト（ＰＳ）ファイルを書き出すことを可能とし、手作業ミスをなくし、操作作業時間を削減でき、効率的なポストスクリプト（ＰＳ）書き出し操作を行うことができる。
また、ドキュメントに付加ページ番号を埋め込むことにより、複数のレイアウトドキュメントから構成される１つの印刷物を、容易に作成することができる。
【００７７】
次に、他の実施の形態について説明する。本実施の形態に係るポストスクリプト（ＰＳ）書き出しシステム１７０は、ポストスクリプト（ＰＳ）書き出しツール１１０により、ネットワーク１０９を介して接続された他のコンピュータ１０１上の設定ファイル１３２をコピーする設定ファイルコピー機能１２４を有する。図１７は、本発明の本実施の形態に係るポストスクリプト（ＰＳ）書き出しシステム１７０の概略構成を示す図である。
【００７８】
図１７に示すように、ポストスクリプト（ＰＳ）書き出しシステム１７０は、複数のコンピュータ１０１−１、１０１−２、ネットワーク１０９等からなる。
ネットワーク１０９は、インターネット、ローカルエリアネットワーク（ＬＡＮ）、社内ＬＡＮ等のネットワークであり、有線、無線を問わない。
【００７９】
コンピュータ１０１は、ポストスクリプト（ＰＳ）書き出しツール１１０、レイアウトソフトウェア１１１、ドキュメント設定ファイル１３２Ｑと印刷設定ファイル１３５２Ｐからなる設定ファイル１３２等を有する。ポストスクリプト（ＰＳ）書き出しツール１１０は、設定ファイルコピー機能１２４を有し、ネットワーク１０９を介して接続された他のコンピュータ１０１−２上のドキュメント設定ファイル１３２Ｑをコピーし、ドキュメント設定ファイル１３２Ｑに結合する印刷設定ファイル１３２Ｐを作成する。
【００８０】
次に、記憶装置２０２における設定ファイルコピー機能関連の特徴的なファイル配置について説明する。図１８は、記憶装置２０２における設定ファイルコピー機能関連のファイル配置を示す。
図１８に示すように、記憶装置２０２内には、ポストスクリプト（ＰＳ）書き出しフォルダ１４２に設定フォルダ１４３、結合フォルダ１４５、印刷設定フォルダ１４６等を有する。
【００８１】
設定フォルダ１４３には、第１の設定ファイルであるドキュメント設定ファイル１３２Ｑ（レイアウトドキュメント形式）とそれに対応する第２の設定ファイルである印刷設定ファイル１３２Ｐ（．ｐｐｉファイル）からなる設定ファイル１３２を格納する。ドキュメント設定ファイル１３２Ｑには、印刷設定、用紙設定の中のレイアウトドキュメント用の設定を格納し、印刷設定ファイル１３２Ｐには、プリンタドライバが有する設定を格納する。結合フォルダ１４５には、印刷設定フォルダ１４６が格納されている。ＰＳファイル１３１を出力する際は、プリンタドライバが持っている設定内容で設定する必要がないため、ドキュメント設定ファイル１３２Ｑ内の設定のみで設定完了となる。
【００８２】
結合フォルダ１４５は、ポストスクリプト（ＰＳ）書き出しツール１１０起動時に、「ホットフォルダ」となる。「ホットフォルダ」とは、制御部２０１が、ネットワーク上で当該フォルダを監視し、当該ホットフォルダ内にファイルが作成されると、所定の処理制御を行うことを可能とする。本実施の形態では、制御部２０１は、ホットフォルダである結合フォルダ１４５を監視し、ドキュメント設定ファイル１３２Ｑを結合フォルダにドロップし、結合フォルダ１４５にドキュメント設定ファイル１３２Ｑが作成されると、ドキュメント設定ファイル１３２Ｑのコピーする際、ｐｐｉ選択画面１８０を表示し、コピー処理を行う。
印刷設定フォルダ１４６には、該コンピュータ１０１のプリンタドライバに関連する印刷設定ファイル１３２Ｐを格納する。
【００８３】
次に、ポストスクリプト（ＰＳ）書き出しシステム１７０における、ポストスクリプト（ＰＳ）書き出しツール１１０の設定ファイルコピー機能１２４の処理手順について詳しく説明する。図１９は、設定ファイルコピー機能１２４の処理手順を示すフローチャートである。図２０は、ｐｐｉ選択画面１８０と設定ファイルコピー処理の流れを示す。
【００８４】
図１９に示すように、コンピュータ１０１−１の制御部２０１は、予め、ポストスクリプト（ＰＳ）書き出しツール１１０を起動する。例えば、ポストスクリプト（ＰＳ）書き出しツール１１０をＱｕａｒｋＸＰｒｅｓｓの拡張機能として組み込まれた状態で、ＱｕａｒｋＸＰｒｅｓｓを起動する。
制御部２０１は、ホットフォルダである結合フォルダを監視する（ステップ１９０１）。
【００８５】
利用者は、ネットワーク１０９を介して、コンピュータ１０１−２にアクセスし、コンピュータ１０１−２の記憶装置２０２内のコピー対象のドキュメント設定ファイル１３２Ｑを、本コンピュータ１０１−１の記憶装置２０２内の結合フォルダ１４５にドロップすると（ステップ１９０２）、コンピュータ１０１−１の制御部２０１は、コピー対象のドキュメント設定ファイル１３２Ｑを受信し、ホットフォルダである結合フォルダ１４５にコピー対象のドキュメント設定ファイル１３２Ｑを生成する（ステップ１９０３）。
例えば、図２０に示すように、コンピュータ１０１−２の記憶装置２０２内のコピー対象のドキュメント設定ファイル１３２Ｑ「２５０×３１５ａｄ−ｐｓ」を、結合フォルダ１４５にドロップする。
【００８６】
コンピュータ１０１−１の制御部２０１は、結合フォルダ１４５にドキュメント設定ファイル１３２Ｑを作成すると、印刷設定フォルダ１４６内の印刷設定ファイル（．ｐｐｉファイル）一覧１８１を示すｐｐｉ選択画面１８０を表示する（ステップ１９０４）。
利用者は、ｐｐｉ選択画面１８０上の印刷設定ファイル（．ｐｐｉファイル）１３２Ｐを選択し、作成ボタン１８２を押下する（ステップ１９０５）。例えば、ｐｐｉ選択画面１８０上の印刷設定ファイル１３２Ｐ「２３５×３００ａｄ−ｐｓ．ｐｐｉ」を選択する。
【００８７】
制御部２０１は、結合フォルダ１４５内のコピー対象のドキュメント設定ファイル１３２Ｑと、結合した印刷設定ファイル（．ｐｐｉファイル）１３２Ｐを、設定フォルダ１４３に生成し、新しく設定ファイル１３２を作成する（ステップ１９０６）。ドキュメント設定ファイル１３２Ｑに結合する印刷設定ファイル（．ｐｐｉファイル）１３２Ｐのファイル名は、「ドキュメント設定ファイル１３２Ｑのファイル名．ｐｐｉ」に設定する。制御部２０１は、結合フォルダ１４５内のドキュメント設定ファイル１３２Ｑを削除する（ステップ１９０７）。
例えば、コピー対象のドキュメント設定ファイル１３２Ｑ「２５０×３１５ａｄ−ｐｓ」と、選択した印刷設定ファイル１３２Ｐ「２３５×３００ａｄ−ｐｓ．ｐｐｉ」を結合して、ＰＳ書き出しフォルダ１４２の設定フォルダ１４３に作成する。作成した印刷設定ファイル名は、設定ファイル名「２５０×３１５ａｄ−ｐｓ」に合わせた印刷設定ファイル１３２Ｐ「２３５×３１５ａｄ−ｐｓ．ｐｐｉ」と設定する。
【００８８】
以上説明したように、本発明の実施の形態によれば、ポストスクリプト書き出しシステム１００において、コンピュータ１０１−１の制御部２０１は、設定ファイルコピー機能１２４により、他のコンピュータ１０１−２の記憶装置に格納されているドキュメント設定ファイル１３２Ｑを、コンピュータ１０１−１の記憶装置２０２内の結合フォルダ（ホットフォルダ）にドロップすると、ｐｐｉ選択画面１８０を表示し、選択された印刷設定ファイル１３２Ｐと、コピー対象のドキュメント設定ファイル１３２Ｑを設定フォルダ１４３にコピーし、設定ファイル１３２を作成する。
【００８９】
これにより、ポストスクリプト（ＰＳ）ファイル書き出し時に必要とする設定ファイルを、別のコンピュータ１０１で利用する際、各コンピュータに応じた固有な設定情報を考慮しながら、ドキュメントの用紙設定、印刷設定等の設定情報を有する設定ファイルをコピー可能とし、別のコンピュータにおいて設定ファイルを容易に利用可能とする。
【００９０】
尚、本実施の形態では、レイアウトソフトウェアとしてＱｕａｒｋＸＰｒｅｓｓ（商標名）、レイアウトソフトウェアで生成するドキュメントとしてＱｕａｒｋドキュメントを用いたが、これに限るものではない。
【００９１】
尚、図５、図９、図１３、図１９等に示す処理を行うプログラムはＣＤ−ＲＯＭ等の記録媒体に保持させて流通させてもよいし、このプログラムを通信回線を介して送受することもできる。
【００９２】
以上、添付図面を参照しながら、本発明に係るポストスクリプト（ＰＳ）書き出しシステム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００９３】
【図１】本発明の本実施の形態に係るポストスクリプト（ＰＳ）書き出しシステム１００の概略構成を示す図
【図２】コンピュータ１０１のハードウェア構成図
【図３】記憶装置２０２におけるポストスクリプト（ＰＳ）書き出しシステム関連のファイル配置を示す図
【図４】ポストスクリプト（ＰＳ）書き出しシステム１００全体の処理の流れを示す図
【図５】設定ファイル作成機能１２１の処理手順を示すフローチャート
【図６】設定ファイルリスト画面２０を示す図
【図７】設定ファイル作成画面（新規作成）３０ａ、設定ファイル作成画面（編集・複製）３０ｂを示す図
【図８】プリンタドライバ選択画面５０を示す図
【図９】ポストスクリプト（ＰＳ）書き出し機能１２３の処理手順を示すフローチャート
【図１０】書き出しツール画面６０を示す図
【図１１】ログファイル１３３の内容を示す図
【図１２】レイアウトドキュメント１３０からポストスクリプト（ＰＳ）ファイル１３１書き出しの具体例を示す図
【図１３】ページ番号情報付加機能１２２の処理手順を示すフローチャート
【図１４】ページ番号情報パレット表示画面９０を示す図
【図１５】連番設定タブ９５による、付加ページ番号の連番設定を示す図
【図１６】スライドタブ９６による、付加ページ番号のスライド設定を示す図
【図１７】本発明の本実施の形態に係るポストスクリプト（ＰＳ）書き出しシステム１７０の概略構成を示す図
【図１８】加工設定画面９０３を示す図
【図１９】設定ファイルコピー機能１２４の処理手順を示すフローチャート
【図２０】ｐｐｉ選択画面１８０と設定ファイルコピー処理の流れを示す図
【符号の説明】
【００９４】
１００………ポストスクリプト（ＰＳ）書き出しシステム
１０１………コンピュータ
１０９………ネットワーク
１１０………ポストスクリプト（ＰＳ）書き出しツール
１１１………レイアウトソフトウェア
１２１………設定ファイル作成機能
１２２………ページ番号情報付加機能
１２３………ＰＳ書き出し機能
１２４………設定ファイルコピー機能
１３０………レイアウトドキュメント
１３１………ポストスクリプト（ＰＳ）ファイル
１３２………設定ファイル
１３２Ｑ………ドキュメント設定ファイル
１３２Ｐ………印刷設定ファイル
１３３………ログファイル
２０１………制御部
２０２………記憶装置
【図１】
2006004317.tif 000003
【図２】
2006004317.tif 000004
【図３】
2006004317.tif 000005
【図４】
2006004317.tif 000006
【図５】
2006004317.tif 000007
【図６】
2006004317.tif 000008
【図７】
2006004317.tif 000009
【図８】
2006004317.tif 000010
【図９】
2006004317.tif 000011
【図１０】
2006004317.tif 000012
【図１１】
2006004317.tif 000013
【図１２】
2006004317.tif 000014
【図１３】
2006004317.tif 000015
【図１４】
2006004317.tif 000016
【図１５】
2006004317.tif 000017
【図１６】
2006004317.tif 000018
【図１７】
2006004317.tif 000019
【図１８】
2006004317.tif 000020
【図１９】
2006004317.tif 000021
【図２０】
2006004317.tif 000022